(57)【要約】【課題】転写フィルムから記録媒体の裏面に画像を転写する際の転写不良を抑制すること。【解決手段】画像形成装置１は、カードＫと転写フィルム４６とを転写プラテン３１と転写ローラ３３とで加熱及び圧接して転写フィルム４６からカードＫに画像を転写する転写手段と、転写手段により画像を転写したカードＫを転写フィルム４６から剥離する剥離コロ３４ｂと、転写手段と剥離コロ３４ｂとの間の搬入経路Ｐ１に設けられると共に、カードＫから離間する退避位置とカードＫと接触してカードＫを押さえる接触位置との間で移動可能なサポートローラ８０と、を有する。サポートローラ８０は、カードＫの表面に画像を形成する際に退避位置に位置し、その後に継続してカードＫの裏面に画像を形成する際に接触位置に位置して搬送されるカードＫを転写フィルム４６方向に押さえる。【選択図】図３
2020116903.tif 000002
【特許請求の範囲】
【請求項１】
カード形状の記録媒体に画像を形成する画像形成装置であって、
前記記録媒体と転写フィルムとを転写部材とプラテンとで加熱及び圧接して前記転写フィルムから前記記録媒体に画像を転写する転写手段と、
前記転写手段により画像を転写した前記記録媒体を前記転写フィルムから剥離する剥離手段と、
前記転写手段と前記剥離手段との間の記録媒体搬送路に設けられると共に、前記記録媒体から離間する退避位置と前記記録媒体と接触して前記記録媒体を押さえる接触位置との間で移動可能な押さえ手段と、
を有し、
前記押さえ手段は、
前記記録媒体の表面に画像を形成する際に前記退避位置に位置し、前記表面に画像を形成された後に継続して前記記録媒体の裏面に画像を形成する際に前記接触位置に位置して搬送される前記記録媒体を前記転写フィルム方向に押さえる、
ことを特徴とする画像形成装置。
【請求項２】
前記押さえ手段は、
前記接触位置に位置する際に、前記転写手段の前記記録媒体との接触点と、前記剥離手段の前記記録媒体との接触点と、を結ぶ直線よりも前記記録媒体が下方になるように前記記録媒体を押さえる、
ことを特徴とする請求項１に記載の画像形成装置。
【請求項３】
前記転写手段により前記転写フィルムから前記表面に画像を転写された前記記録媒体を搬入すると共に、前記表面と前記裏面とを反転させた前記記録媒体を前記転写手段に搬送する反転手段を有する、
ことを特徴とする請求項１又は請求項２に記載の画像形成装置。
【請求項４】
前記記録媒体の厚みの情報が入力される入力手段を有し、
前記押さえ手段は、
前記入力手段に入力された前記厚みの情報に応じて、前記退避位置から前記接触位置へ移動する際の移動量を可変にする、
ことを特徴とする請求項１から請求項３のいずれか１項に記載の画像形成装置。
【発明の詳細な説明】
【技術分野】
【０００１】
本発明は、カード状の記録媒体に画像を形成する画像形成装置に関する。
【背景技術】
【０００２】
従来、プラスチックカード等のカード状の記録媒体に顔写真又は文字情報等の画像を形成する画像形成装置が知られている。このような画像形成装置としては、記録媒体に直接画像を形成する装置構成と、転写フィルムに画像を形成し、転写フィルムに形成した画像を記録媒体に転写する装置構成と、を有するものが知られている。
【０００３】
転写フィルムに形成した画像を記録媒体に転写する装置構成の場合には、転写フィルムに形成された画像を記録媒体に転写した後に、記録媒体から転写フィルムを剥離する必要がある。
【０００４】
特許文献１は、ヒートローラとプラテンとで転写フィルムとカードとを狭持して高温で加熱することにより、転写フィルムに形成された画像をカードに転写する転写装置を開示している。特許文献１の転写装置は、ヒートローラのカードの搬送方向の下流側に、カードと転写フィルムとを剥離させる剥離部材を設けている。特許文献１において、ヒートローラによってカードに画像を転写した転写フィルムは、剥離部材を抜けた際にカード搬送方向と概ね直交する方向に巻き取られるため、剥離部材の位置でカードから剥離される。この際に、カードと転写フィルムとは、転写フィルムからカードへの転写不良を防ぐために、密着した状態で剥離部材まで搬送される必要がある。
【先行技術文献】
【特許文献】
【０００５】
【特許文献１】特開２０１４−０９４５１１号公報
【発明の概要】
【発明が解決しようとする課題】
【０００６】
しかしながら、特許文献１においては、高温で軟化したカードの下側には転写フィルムがある一方、カードの上側にはカードを規制する部材がない。このため、特許文献１においては、転写フィルムから画像が転写された後のカードは、高温で膨張した転写フィルムが縮むことにより下カールになる傾向がある。カードに両面印刷を行う場合において、表面に印刷を行う際に下カールを生じたカードは、裏面に印刷を行う際に回転パスで回転されて表面と裏面が反転することにより、表面では下カールの状態が裏面では上カールの状態で転写が行われる。このような上カールを生じたカードは、転写後に剥離部材まで搬送される前に転写フィルムから剥がれてしまうことにより、転写不良となる。
【０００７】
本発明の目的は、転写フィルムから記録媒体の裏面に画像を転写する際の転写不良を抑制することができる画像形成装置を提供することである。
【課題を解決するための手段】
【０００８】
本発明の画像形成装置は、カード形状の記録媒体に画像を形成する画像形成装置であって、前記記録媒体と転写フィルムとを転写部材とプラテンとで加熱及び圧接して前記転写フィルムから前記記録媒体に画像を転写する転写手段と、前記転写手段により画像を転写した前記記録媒体を前記転写フィルムから剥離する剥離手段と、前記転写手段と前記剥離手段との間の記録媒体搬送路に設けられると共に、前記記録媒体から離間する退避位置と前記記録媒体と接触して前記記録媒体を押さえる接触位置との間で移動可能な押さえ手段と、を有し、前記押さえ手段は、前記記録媒体の表面に画像を形成する際に前記退避位置に位置し、前記表面に画像を形成された後に継続して前記記録媒体の裏面に画像を形成する際に前記接触位置に位置して搬送される前記記録媒体を前記転写フィルム方向に押さえることを特徴とする。
【発明の効果】
【０００９】
本発明によれば、転写フィルムから記録媒体の裏面に画像を転写する際の転写不良を抑制することができる。
【図面の簡単な説明】
【００１０】
【図１】本発明の実施の形態に係る画像形成装置の構成を示す模式図である。
【図２】本発明の実施の形態に係る画像形成装置の構成を示すブロック図である。
【図３】本発明の実施の形態に係る画像形成装置の２次転写部の構成を示す模式図である。
【図４】本発明の実施の形態に係る画像形成装置の２次転写部における支持ピンの位置を示す模式図である。
【図５】サポートローラが無い画像形成部において上カールのカードを搬送する状態を示す模式図である。
【図６】本発明の実施の形態に係るサポートローラの位置制御処理を示すフロー図である。
【図７】本発明の実施の形態に係る画像形成装置のサポートローラの動作を示す模式図である。
【発明を実施するための形態】
【００１１】
以下、本発明の実施の形態について図面を参照して詳細に説明する。
【００１２】
＜画像形成装置の構成＞
本発明の実施の形態に係る画像形成装置１の構成について、図１及び図２を参照しながら、詳細に説明する。
【００１３】
画像形成装置１は、各種証明用のＩＤカード又は商取引用のクレジットカード等のカード形状の記録媒体としてのカードＫに画像を形成して記録する。具体的には、画像形成装置１は、情報記録部Ａと、画像形成部Ｂと、カード供給部Ｃと、収容部Ｄと、制御部Ｈと、を有している。
【００１４】
情報記録部Ａは、カード供給部Ｃから供給されるカードＫに対して、磁気的又は電気的な情報記録を行う。情報記録部Ａは、情報記録を行ったカードＫを画像形成部Ｂに向けて搬送する。
【００１５】
画像形成部Ｂは、情報記録部Ａから搬送されてくるカードＫの表面、又は表面と裏面とに顔写真又は文字データ等の画像を形成し、画像を形成したカードＫを情報記録部Ａ又は収容部Ｄに向けて搬送する。画像形成部Ｂには、カード供給部Ｃから供給されるカードＫを移送する記録媒体搬送路としての搬入経路Ｐ１と、収容スタッカ５５にカードＫを移送する搬出経路Ｐ２と、が設けられている。搬出経路Ｐ２は、搬入経路Ｐ１よりもカードＫの搬送方向（以下、単に「搬送方向」と記載する）（図１において左方向）の下流側に設けられている。
【００１６】
カード供給部Ｃは、複数枚のカードＫをカードカセット３に立位姿勢で整列して収納し、カードカセット３に収納しているカードＫを分離ローラ９及びピックアップローラ１９によって１枚ずつ分離して情報記録部Ａに順次供給する。
【００１７】
収容部Ｄは、画像形成部Ｂより搬送されてくるカードＫを収容スタッカ５５に収容する。収容スタッカ５５は、昇降機構５６と図示しないレベルセンサとによって、収容スタッカ５５におけるカード収容量に応じて降下するように構成されている。
【００１８】
制御部Ｈ（図２参照）は、画像形成装置１の全体の動作を制御する。
【００１９】
＜情報記録部の構成＞
本発明の実施の形態に係る画像形成装置１の情報記録部Ａの構成について、図１を参照しながら、詳細に説明する。
【００２０】
情報記録部Ａは、搬入ローラ２２と、非接触式ＩＣ記録ユニット２３と、磁気記録ユニット２４と、リジェクトスタッカ２５と、接触式ＩＣ記録ユニット２７と、バーコードリーダ２８と、搬送ローラ２９と、反転ユニットＦと、を備えている。
【００２１】
搬入ローラ２２は、カード供給部Ｃから供給されるカードＫを反転ユニットＦに搬入する。
【００２２】
非接触式ＩＣ記録ユニット２３は、反転ユニットＦの外周において反転ユニットＦに対向して設けられている。非接触式ＩＣ記録ユニット２３は、反転ユニットＦから搬送されてくるカードＫに対して非接触で電気的な情報記録を行い、電気的な情報記録を行ったカードＫを反転ユニットＦに向けて搬送する。
【００２３】
磁気記録ユニット２４は、反転ユニットＦの外周において反転ユニットＦに対向して設けられている。磁気記録ユニット２４は、反転ユニットＦから搬送されてくるカードＫに磁気的な情報記録を行い、磁気的な情報記録を行ったカードＫを反転ユニットＦに向けて搬送する。
【００２４】
リジェクトスタッカ２５は、反転ユニットＦから搬出される記録ミスを生じたカードＫを収容する。
【００２５】
接触式ＩＣ記録ユニット２７は、反転ユニットＦの外周において反転ユニットＦに対向して設けられている。接触式ＩＣ記録ユニット２７は、反転ユニットＦから搬送されてくるカードＫに対して接触しながら電気的な情報記録を行い、電気的な情報記録を行ったカードＫを反転ユニットＦに向けて搬送する。
【００２６】
バーコードリーダ２８は、反転ユニットＦから搬送されるカードＫに印刷したバーコードを読み取って正誤判定（エラー判定）する。
【００２７】
搬送ローラ２９は、搬入経路Ｐ１に配置されており、図示しない搬送モータ（ステッピングモータ）に連結されて、この搬送モータが駆動することにより正転方向又は逆転方向に回転可能になっている。搬送ローラ２９は、反転ユニットＦから搬送されてくるカードＫを画像形成部Ｂに向けて搬送し、又は画像形成部Ｂから搬送されてくるカードＫを反転ユニットＦに搬送する。
【００２８】
反転手段としての反転ユニットＦは、画像形成装置１の装置フレームに回転可能に軸受け支持された図示しないユニットフレームと、このユニットフレームに支持されたローラ対２０及びローラ対２１と、を備えている。反転ユニットＦは、搬入経路Ｐ１に配置されている。
【００２９】
ローラ対２０及びローラ対２１は、図示しない搬送モータが駆動することにより、正転方向又は逆転方向に回転する。ローラ対２０及びローラ対２１は、搬入ローラ２２、非接触式ＩＣ記録ユニット２３、磁気記録ユニット２４、接触式ＩＣ記録ユニット２７又は画像形成部Ｂから反転ユニットＦ内に搬入されたカードＫをニップして搬送する。ローラ対２０及びローラ対２１は、反転ユニットＦから、非接触式ＩＣ記録ユニット２３、磁気記録ユニット２４、接触式ＩＣ記録ユニット２７又は画像形成部Ｂに向けてカードＫを搬送する。
【００３０】
ローラ対２０及びローラ対２１は、非接触式ＩＣ記録ユニット２３、磁気記録ユニット２４又は接触式ＩＣ記録ユニット２７において記録ミスを生じたカードＫをリジェクトスタッカ２５に排出する。ローラ対２０及びローラ対２１は、バーコードリーダ２８にカードＫを排出する。
【００３１】
反転ユニットＦのユニットフレームとローラ対２０及びローラ対２１とは、１つのパルスモータでクラッチを切り換えて駆動させる構成、又は２つのパルスモータで個別に駆動させる構成の何れでもよい。
【００３２】
＜画像形成部の構成＞
本発明の実施の形態に係る画像形成装置１の画像形成部Ｂの構成について、図１から図３を参照しながら、詳細に説明する。
【００３３】
画像形成部Ｂは、搬送ローラ３０と、転写プラテン３１と、ピンチローラ３２ａと、ピンチローラ３２ｂと、転写ローラ３３と、デカール機構３６と、搬送ローラ３７と、搬送ローラ３８と、を備えている。また、画像形成部Ｂは、サーマルヘッド４０と、インクリボンカセット４２と、画像形成プラテン４５と、移送ローラ４９と、転写フィルムカセット５０と、サポートローラ８０と、センサＳｅ１と、センサＳｅ２と、を備えている。
【００３４】
搬送ローラ３０は、搬入経路Ｐ１に配置され、図示しない搬送モータ（ステッピングモータ）に連結されて、この搬送モータが駆動することにより正転方向又は逆転方向に回転可能になっている。搬送ローラ３０は、搬送ローラ２９から搬送されてくるカードＫを転写ローラ３３と転写プラテン３１との間に向けて搬送し、又は転写ローラ３３と転写プラテン３１との間から搬送されてくるカードＫを搬送ローラ２９に向けて搬送する。
【００３５】
プラテンとしての転写プラテン３１は、転写フィルム４６を介して転写ローラ３３に対向して配置されている。
【００３６】
ピンチローラ３２ａ及びピンチローラ３２ｂは、移送ローラ４９の外周面に配置されている。
【００３７】
転写部材としての転写ローラ３３は、転写フィルム４６を介して転写プラテン３１に対向して配置されている。転写ローラ３３は、ヒートローラで構成されており、転写プラテン３１に対して圧接し又は転写プラテン３１から離間する。
【００３８】
転写手段としての転写プラテン３１と転写ローラ３３とは、転写フィルム４６を介してカードＫに加熱圧接して、転写フィルム４６に形成された画像をカードＫに転写する。
【００３９】
デカール機構３６は、搬送ローラ３７と搬送ローラ３８との間に設けられており、カム等の図示しない昇降機構によって、図１において上下方向に移動可能に構成されている。デカール機構３６は、搬送ローラ３７及び搬送ローラ３８に保持されたカードＫの中央部を押圧することによって、カードＫに生じたカールを矯正する。
【００４０】
搬送ローラ３７は、搬出経路Ｐ２に配置されている。搬送ローラ３７は、図示しない搬送モータに連結されており、この搬送モータが駆動することにより回転して、転写プラテン３１と転写ローラ３３との間を通過してきたカードＫを、ニップして搬送方向の下流側へ搬送する。
【００４１】
搬送ローラ３０と搬送ローラ３７との間の距離は、転写処理以外の通常搬送時にカードＫを搬送することができるように、カードＫの搬送方向の長さＬｃよりも短くなるように設定されている。
【００４２】
搬送ローラ３８は、搬出経路Ｐ２に配置されている。搬送ローラ３８は、図示しない搬送モータに連結されており、この搬送モータが駆動することにより回転して、デカール機構３６を通過したカードＫをニップして搬送方向の下流側へ搬送する。
【００４３】
サーマルヘッド４０は、インクリボン４１及び転写フィルム４６を介して画像形成プラテン４５に対向して配置されている。サーマルヘッド４０は、インクリボン４１及び転写フィルム４６を加熱して転写フィルム４６に画像を形成する。
【００４４】
インクリボンカセット４２は、昇華型インクリボン等の熱転写インクリボンであるインクリボン４１を、操出ロール４３と巻取ロール４４との間に巻装している。インクリボンカセット４２は、画像形成装置１のハウジングに着脱可能に装着されている。
【００４５】
巻取ロール４４は、インクリボンワインドモータＭｒ１に連結している。巻取ロール４４は、インクリボンワインドモータＭｒ１が駆動することによりサーマルヘッド４０の熱制御と同期して回転し、インクリボン４１を所定速度で巻き取る。
【００４６】
画像形成プラテン４５は、インクリボン４１及び転写フィルム４６を介してサーマルヘッド４０に対向して配置されている。画像形成プラテン４５は、転写フィルムカセット５０に装填されている転写フィルム４６を走行させる。
【００４７】
移送ローラ４９は、図示しない駆動モータに連結されており、この駆動モータが駆動することにより回転する。移送ローラ４９は、回転することにより、ピンチローラ３２ａ及びピンチローラ３２ｂと共に、サーマルヘッド４０及び画像形成プラテン４５で画像を形成された転写フィルム４６を、転写プラテン３１と転写ローラ３３との間に向けて移送する。
【００４８】
転写フィルムカセット５０は、画像形成装置１のハウジングに着脱可能に装着されている。転写フィルムカセット５０は、ガイドコロ３４ａと、剥離コロ３４ｂと、供給スプール４７と、巻取スプール４８と、支持ピン５１と、を備え、供給スプール４７と巻取スプール４８とに転写フィルム４６を巻回している。
【００４９】
ガイドコロ３４ａは、転写プラテン３１よりも搬送方向の上流側に設けられて、移送ローラ４９によって移送されてくる転写フィルム４６を、転写プラテン３１と転写ローラ３３との間に案内する。
【００５０】
剥離手段としての剥離コロ３４ｂは、図示しないブラケットに設けられていると共に、転写プラテン３１よりも搬送方向の下流側に設けられて、転写プラテン３１と転写ローラ３３との間から搬送されてくるカードＫを転写フィルム４６から剥離する。
【００５１】
ガイドコロ３４ａと剥離コロ３４ｂとの間隔Ｌ１は、カードＫの搬送方向の長さＬｃよりも短く（Ｌ１＜Ｌｃ）設定されている。
【００５２】
供給スプール４７は、ＤＣモータである転写フィルムワインドモータＭｒ２に連結されており、転写フィルムワインドモータＭｒ２が駆動することにより回転して転写フィルム４６を移送する。
【００５３】
巻取スプール４８は、図示しないＤＣモータに連結されており、このＤＣモータが駆動することにより回転して転写フィルム４６を巻き取る。
【００５４】
支持ピン５１は、剥離コロ３４ｂが設けられている図示しないブラケットに設けられていると共に、剥離コロ３４ｂよりも搬送方向の下流側に設けられ、カードＫの転写面側を支持する。支持ピン５１は、剥離コロ３４ｂと一定の位置関係を保持している。具体的には、支持ピン５１は、剥離コロ３４ｂとの距離が大きい場合にはカードＫの搬送方向の先端が支持されない状態が長くなってしまうため、剥離コロ３４ｂの直後に配置されることが望ましい。
【００５５】
支持ピン５１は、剥離コロ３４ｂとの間の隙間を例えば１ｍｍにしている。支持ピン５１は、剥離コロ３４ｂよりも細くすることにより剥離コロ３４ｂに近づけることができる。なお、支持ピン５１は、細くしすぎるとカードＫを支持する強度が保てないため、ある程度の強度は確保した上で細くすることが望ましい。
【００５６】
支持ピン５１は、カードＫの搬送方向の先端を若干持ち上げるため、搬送ローラ３７に対して、カードＫの搬送方向の先端が上側の搬送ローラ３７の下半分の領域（図３（ａ）の搬送ローラ３７の一点鎖線より下方の領域）に入る位置に設けられている。
【００５７】
押さえ手段としてのサポートローラ８０は、搬入経路Ｐ１の転写ローラ３３と剥離コロ３４ｂとの間に設けられていると共に、カードＫの非転写面側に設けられている。サポートローラ８０は、後述のサポートローラモータ７４ｉが駆動することにより動作するカム機構又はラックアンドピニオン機構等の図示しない昇降機構によって、図３において上下に移動する。サポートローラ８０は、上方に移動して転写中のカードＫに触れない退避位置に位置し、下方に移動して転写プラテン３１と剥離コロ３４ｂとの接線よりも下側であってカードＫと接触してカードＫを押さえる接触位置に位置する。
【００５８】
サポートローラ８０は、カードＫの幅よりも幅広なローラで、例えば金属性のφ６のローラ径を有している。なお、サポートローラ８０の材質は、転写ローラ３３で加熱されたカードＫが通るので耐熱性のあるものが望ましい。
【００５９】
センサＳｅ１は、インクリボン４１の位置を検出し、検出結果を制御部Ｈに出力する。
【００６０】
センサＳｅ２は、転写フィルム４６の有無を検出し、検出結果を制御部Ｈに出力する。
【００６１】
＜制御部の構成＞
本発明の実施の形態に係る画像形成装置１の制御部Ｈの構成について、図１及び図２を参照しながら、詳細に説明する。
【００６２】
制御部Ｈは、ＣＰＵ７０と、ＲＯＭ７１と、ＲＡＭ７２と、データ入力制御部７３と、Ｒ／Ｗ制御用ＩＣ７３ｘと、Ｒ／Ｗ制御用ＩＣ７３ｙと、を備えている。また、制御部Ｈは、画像形成制御部７４と、ヘッドコントロール用ＩＣ７４ａと、インクリボンワインドモータＭｒ１と、転写フィルムワインドモータＭｒ２と、を備えている。
【００６３】
また、制御部Ｈは、シフトモータドライブ回路７４ｄと、シフトカム７４ｅと、転写ローラ昇降部７４ｆと、ドライブカム７４ｇと、剥離コロ昇降部７４ｈと、サポートローラモータ７４ｉと、を備えている。更に、制御部Ｈは、カード搬送制御部７５と、反転ユニット旋回モータ制御回路７５ａと、搬入経路搬送モータ制御回路７５ｂと、搬出経路搬出モータ制御回路７５ｃと、を備えている。
【００６４】
ＣＰＵ７０は、ＲＯＭ７１に予め記憶している制御プログラムを実行して、センサＳｅ１又はセンサＳｅ２から入力される検出結果に基づいて、画像形成制御部７４及びカード搬送制御部７５の動作を制御する。ＣＰＵ７０は、ＲＯＭ７１に予め記憶している制御プログラムを実行して、ＲＡＭ７２に記憶している情報に基づいて、データ入力制御部７３の動作を制御する。
【００６５】
ＲＯＭ７１は、制御プログラム及び制御データ等を予め記憶している。
【００６６】
ＲＡＭ７２は、非接触式ＩＣ記録ユニット２３、磁気記録ユニット２４及び接触式ＩＣ記録ユニット２７でカードＫにデータ入力する処理時間に関する情報を記憶している。
【００６７】
データ入力制御部７３は、ＣＰＵ７０の制御により、Ｒ／Ｗ制御用ＩＣ７３ｘに対して入力データの送受信を制御するコマンド信号を送信して、Ｒ／Ｗ制御用ＩＣ７３ｘの動作を制御する。データ入力制御部７３は、ＣＰＵ７０の制御により、Ｒ／Ｗ制御用ＩＣ７３ｙに対して入力データの送受信を制御するコマンド信号を送信して、Ｒ／Ｗ制御用ＩＣ７３ｙの動作を制御する。
【００６８】
Ｒ／Ｗ制御用ＩＣ７３ｘは、磁気記録ユニット２４に内蔵されている。Ｒ／Ｗ制御用ＩＣ７３ｘは、データ入力制御部７３の制御により入力データの送受信を行って磁気記録ユニット２４の動作を制御する。
【００６９】
Ｒ／Ｗ制御用ＩＣ７３ｙは、非接触式ＩＣ記録ユニット２３及び接触式ＩＣ記録ユニット２７に内蔵されている。Ｒ／Ｗ制御用ＩＣ７３ｙは、データ入力制御部７３の制御により入力データの送受信を行って非接触式ＩＣ記録ユニット２３及び接触式ＩＣ記録ユニット２７の動作を制御する。
【００７０】
画像形成制御部７４は、ＣＰＵ７０の制御により、ヘッドコントロール用ＩＣ７４ａ、インクリボンワインドモータＭｒ１、転写フィルムワインドモータＭｒ２、シフトモータドライブ回路７４ｄ及びサポートローラモータ７４ｉの駆動制御を行う。
【００７１】
ヘッドコントロール用ＩＣ７４ａは、サーマルヘッド４０に接続されている。ヘッドコントロール用ＩＣ７４ａは、画像形成制御部７４の制御によりサーマルヘッド４０を加熱制御する。
【００７２】
インクリボンワインドモータＭｒ１は、画像形成制御部７４の制御により駆動して、巻取ロール４４を回転させる。
【００７３】
転写フィルムワインドモータＭｒ２は、画像形成制御部７４の制御により駆動して、供給スプール４７を回転させる。
【００７４】
シフトモータドライブ回路７４ｄは、画像形成制御部７４の制御により、シフトカム７４ｅ及びドライブカム７４ｇの駆動制御を行う。
【００７５】
シフトカム７４ｅは、シフトモータドライブ回路７４ｄの制御により駆動して、転写ローラ昇降部７４ｆを動作させる。
【００７６】
転写ローラ昇降部７４ｆは、シフトカム７４ｅが駆動することによって動作して、転写ローラ３３を昇降させる。
【００７７】
ドライブカム７４ｇは、シフトモータドライブ回路７４ｄの制御により駆動して、剥離コロ昇降部７４ｈを昇降させる。
【００７８】
剥離コロ昇降部７４ｈは、ドライブカム７４ｇが駆動することによって動作して、剥離コロ３４ｂを昇降させる。
【００７９】
サポートローラモータ７４ｉは、サポートローラ８０に接続されている。サポートローラモータ７４ｉは、画像形成制御部７４の制御により駆動して、サポートローラ８０を図１において上下方向に移動させることにより退避位置と接触位置との間で移動させる。
【００８０】
カード搬送制御部７５は、ＣＰＵ７０の制御により、反転ユニット旋回モータ制御回路７５ａ、搬入経路搬送モータ制御回路７５ｂ及び搬出経路搬出モータ制御回路７５ｃの動作を制御する。
【００８１】
反転ユニット旋回モータ制御回路７５ａは、カード搬送制御部７５の制御によって動作して、反転ユニットＦに接続している図示しない旋回モータのドライブ回路にコマンド信号を送信して、反転ユニットＦの駆動制御を行う。
【００８２】
搬入経路搬送モータ制御回路７５ｂは、カード搬送制御部７５の制御により、搬送ローラ２９及び搬送ローラ３０に接続している図示しない駆動モータのドライブ回路にコマンド信号を送信して、搬送ローラ２９及び搬送ローラ３０の駆動制御を行う。
【００８３】
搬出経路搬出モータ制御回路７５ｃは、カード搬送制御部７５の制御により、搬送ローラ３７及び搬送ローラ３８に接続している図示しない駆動モータのドライブ回路にコマンド信号を送信して、搬送ローラ３７及び搬送ローラ３８の駆動制御を行う。
【００８４】
＜画像形成装置の動作＞
本発明の実施の形態に係る画像形成装置１の動作について、図１から図４を参照しながら、詳細に説明する。なお、図４においては、サポートローラ８０の記載を省略している。
【００８５】
まず、画像形成装置１は、パソコン等の図示しない上位装置から印刷データ又は情報記録データを受信し、カード供給部ＣからカードＫを一枚ずつ反転ユニットＦに供給する。また、制御部ＨのＣＰＵ７０は、転写ローラ３３を発熱させて所定温度を維持する。
【００８６】
次に、ＣＰＵ７０は、情報記録データを受信した場合に、反転ユニット旋回モータ制御回路７５ａ等を動作させて、カードＫを反転ユニットＦから非接触式ＩＣ記録ユニット２３、磁気記録ユニット２４又は接触式ＩＣ記録ユニット２７に搬送させる。そして、ＣＰＵ７０は、データ入力制御部７３を介してＲ／Ｗ制御用ＩＣ７３ｘ又はＲ／Ｗ制御用ＩＣ７３ｙの動作を制御して、カードＫに情報を記録する情報記録処理を行う。一方、ＣＰＵ７０は、情報記録データを受信しない場合に、反転ユニット旋回モータ制御回路７５ａ等を動作させてカードＫを画像形成部Ｂに搬送させ、搬入経路搬送モータ制御回路７５ｂを動作させてカードＫを搬送方向に搬送する。
【００８７】
次に、ＣＰＵ７０は、画像形成制御部７４を介してヘッドコントロール用ＩＣ７４ａを制御して、転写フィルム４６とインクリボン４１とをサーマルヘッド４０及び画像形成プラテン４５で圧接及び加熱することにより、転写フィルム４６に画像を形成する。この際に、インクリボン４１の各色を転写フィルム４６の画像形成領域に重ねて印刷するため、転写フィルム４６は供給スプール４７、巻取スプール４８及び移送ローラ４９によって往復搬送される。
【００８８】
次に、ＣＰＵ７０は、画像形成制御部７４を介してシフトモータドライブ回路７４ｄの駆動を制御することにより、転写ローラ３３を図３（ａ）に示す作動位置と図３（ｂ）に示す待機位置との間で移動させる。これにより、転写ローラ３３は、転写プラテン３１に対して圧接又は離間する。
【００８９】
具体的には、ＣＰＵ７０は、転写フィルム４６からカードＫに画像を転写する際に、転写ローラ３３を作動位置に移動させて転写プラテン３１に圧接させる。また、ＣＰＵ７０は、カードＫの搬送方向の後端が転写ローラ３３を通過した後に、転写ローラ３３を待機位置に移動させて転写プラテン３１から離間させる。これにより、カードＫの搬送方向の後端が転写ローラ３３を通過した後に、転写フィルム４６が転写ローラ３３に接触して転写ローラ３３の熱により変形することを防止することができる。
【００９０】
また、ＣＰＵ７０は、画像形成制御部７４を介してシフトモータドライブ回路７４ｄの駆動を制御することにより、剥離コロ３４ｂ及び支持ピン５１を作動位置と待機位置との間で移動させる。
【００９１】
具体的には、ＣＰＵ７０は、転写フィルム４６からカードＫに画像を転写する際に、剥離コロ３４ｂ及び支持ピン５１を待機位置から作動位置に移動させる。また、ＣＰＵ７０は、カードＫの搬送方向の後端が支持ピン５１を通過するタイミングで、剥離コロ３４ｂ及び支持ピン５１を作動位置から待機位置に移動させる。これにより、カードＫに両面印刷を行う際に、反転ユニットＦに向けてカードＫをスイッチバック搬送させた時にカードＫが支持ピン５１や剥離コロ３４ｂに衝突することを防ぐことができる。
【００９２】
剥離コロ３４ｂを通過したカードＫの搬送方向の先端は、転写フィルム４６の走行方向に引っ張られて図３において下方に姿勢が変化することなく、作動位置に位置する支持ピン５１に支持される。
【００９３】
ここで、剥離コロ３４ｂは、作動位置において、搬入経路Ｐ１に沿って搬送されるカードＫの表面に対して転写フィルム４６を介して接するように設定されている。具体的には、剥離コロ３４ｂは、図４に示すように、転写ローラ３３の作動位置におけるカードＫとの接触点と、搬送ローラ３７のカードＫの転写面との接触点と、を結ぶ直線Ｌｎ１よりも、転写プラテン３１側にオフセットした位置でカードＫと接触する。また、剥離コロ３４ｂのカードＫとの接触点は、直線Ｌｎ１よりも転写ローラ３３側に配置されることはない。なお、剥離コロ３４ｂのカードＫとの接触点は、直線Ｌｎ１よりも転写ローラ３３側でなければよく、直線Ｌｎ１上にあってもよい。
【００９４】
これにより、転写フィルム４６は、転写ローラ３３から剥離コロ３４ｂまでカードＫに接着しており、カードＫが剥離コロ３４ｂに到達したときにカードＫから剥離される。カードＫから剥離された転写フィルム４６は、カードＫと直交する方向（図３において下方向）に巻き取られるため、剥離後のカードＫに対して、剥離コロ３４ｂを介して略９０度の関係が保たれる（剥離角度βが略９０度）。転写フィルム４６は、カードＫの表面に対して一定の剥離角度βで、カードＫの搬送方向の先端から後端まで引き剥がされるため、カードＫに転写された画像に斑が生ずることがない。
【００９５】
また、支持ピン５１のカードＫとの接触点は、図４に示すように、転写ローラ３３の作動位置におけるカードＫとの接触点と、剥離コロ３４ｂの作動位置におけるカードＫとの接触点と、を結ぶ直線Ｌｎ２よりも、転写プラテン３１側にオフセットしている。即ち、支持ピン５１のカードＫとの接触点は、直線Ｌｎ２よりもカードＫ側にオフセットしている。また、支持ピン５１のカードＫとの接触点は、直線Ｌｎ２よりも転写ローラ３３側に配置されることはない。
【００９６】
支持ピン５１のカードＫとの接触点が直線Ｌｎ２よりも転写ローラ３３側に配置される場合には、カードＫの搬送方向の先端が転写フィルム４６の走行方向に引っ張られてしまう。なお、支持ピン５１のカードＫとの接触点は、直線Ｌｎ２よりも転写ローラ３３側でなければよく、直線Ｌｎ２上にあってもよい。
【００９７】
一方、支持ピン５１のカードＫとの接触点が転写プラテン３１側にオフセットし過ぎる場合には、支持ピン５１と剥離コロ３４ｂとの間の段差が大きくなり、剥離コロ３４ｂがカードＫから離れてしまう。この場合には、転写フィルム４６の剥離位置が不安定になるおそれがある。従って、支持ピン５１のカードＫとの接触点の位置は、扱うカードＫの種類等から適宜設定されることが望ましい。
【００９８】
画像形成装置１は、上記の動作に加えて、ＣＰＵ７０が続いて説明するサポートローラの位置制御処理を実行することにより、サポートローラ８０を動作させて転写不良を抑制する。
【００９９】
＜サポートローラの位置制御処理＞
本発明の実施の形態に係る画像形成装置１のサポートローラの位置制御処理について、図５から図７を参照しながら、詳細に説明する。
【０１００】
転写プラテン３１と転写ローラ３３とにより表面（１面目）に画像を転写されたカードＫは、カードＫに密着している転写フィルム４６が縮むことにより、下カールとなって印刷面が凹む。続けてカードＫの裏面（２面目）に印刷を行う場合に、表面への印刷が終了したカードＫは、反転ユニットＦまで戻され、反転ユニットＦが１８０度回転することで、裏面に印刷を行うことが可能な状態になる。この際に、表面に画像を転写する際に下カールになったカードＫは、反転ユニットＦと共に１８０度回転することにより、裏面の印刷時には上カールになる。
【０１０１】
ここで、図５に示すように、上カールしたカードＫＵは、転写フィルム４６より画像を転写される場合に、転写プラテン３１を通過した後に剥離コロ３４ｂに到達する前に、転写フィルム４６から浮き上がってしまう。これにより、カードＫＵと転写フィルム４６とは、本来は剥離コロ３４ｂに到達するまで密着していなければ転写を良好に行うことができないが、剥離コロ３４ｂに到達する前の早い段階で離れてしまう。この場合には、転写不良が発生する。
【０１０２】
これに対して本実施の形態では、制御部ＨのＣＰＵ７０は、画像形成制御部７４を介してサポートローラモータ７４ｉの動作を制御することにより、カードＫの表面に画像を転写する場合と裏面に画像を転写する場合とで、サポートローラ８０の位置を変更する。
【０１０３】
具体的には、ＣＰＵ７０は、画像形成装置１の主電源がオンされたタイミングで図６に示すサポートローラ８０の位置制御処理を開始する。図６に示すサポートローラ８０の位置制御処理は、所定の制御周期毎に繰り返し実行される。
【０１０４】
まず、ＣＰＵ７０は、カードＫの表面である１面目に転写するか否かを判定する（Ｓ１）。
【０１０５】
ＣＰＵ７０は、カードＫの１面目に転写する場合に（Ｓ１：Ｙｅｓ）、サポートローラ８０をカードＫに触れない図７（ａ）に示す退避位置で待機させ（Ｓ２）、その後にサポートローラ８０の位置制御処理を終了する。カードＫの表面に画像を転写する際にサポートローラ８０を退避位置に待機させることにより、カードＫの表面に画像を転写する際に生じるカードＫの下カールを、サポートローラ８０によって助長しないようにすることができる。
【０１０６】
一方、ＣＰＵ７０は、カードＫの１面目に転写した後に継続してカードＫの裏面である２面目に転写する場合に（Ｓ１：Ｎｏ）、カードＫを転写フィルム４６に接触させて押込む図７（ｂ）に示す接触位置にサポートローラ８０を移動させる（Ｓ３）。そして、その後に、ＣＰＵ７０は、サポートローラ８０の位置制御処理を終了する。
【０１０７】
サポートローラ８０は、接触位置に位置する際に、図４に示す直線Ｌｎ２よりもカードＫが下方になるように、搬送されるカードＫを転写フィルム４６方向に押さえる。これにより、上カールしたカードＫに転写する際に、剥離コロ３４ｂに到達するまでカードＫと転写フィルム４６とを密着させた状態で搬送することができ、転写不良を防ぐことができる。
【０１０８】
なお、サポートローラ８０は、直線Ｌｎ２よりもカードＫが下方になるようにカードＫを押圧する場合に限らず、直線Ｌｎ２までカードＫを押圧するようにしてもよい。
【０１０９】
このように、本実施の形態では、カードＫの表面に画像を形成する際に退避位置に位置し、その後に継続してカードＫの裏面に画像を形成する際に接触位置に位置して搬送されるカードＫを転写フィルム４６方向に押さえるサポートローラ８０を設ける。これにより、転写フィルム４６からカードＫの裏面に画像を転写する際の転写不良を抑制することができる。
【０１１０】
（その他の実施の形態）
ＣＰＵ７０は、タッチパネル等の図示しない入力手段から入力されたカードＫの厚みの情報に応じて、画像形成制御部７４を介してサポートローラモータ７４ｉの駆動を制御して、サポートローラ８０の退避位置から接触位置への移動量を可変にする。これにより、転写フィルム４６からカードＫの表面に画像を転写する際にカードＫにカールを生じた場合であっても、転写フィルム４６からカードＫの裏面に画像を転写する際の転写不良をより確実に抑制することができる。
【０１１１】
本発明は上記実施の形態に限定されるものではなく、その要旨を逸脱しない範囲で種々変形可能であることは言うまでもない。
【符号の説明】
【０１１２】
Ａ  情報記録部
Ｂ  画像形成部
Ｃ  カード供給部
Ｄ  収容部
Ｆ  反転ユニット
Ｈ  制御部
Ｐ１  搬入経路
Ｐ２  搬出経路
１  画像形成装置
２９  搬送ローラ
３０  搬送ローラ
３１  転写プラテン
３３  転写ローラ
３４ａ  ガイドコロ
３４ｂ  剥離コロ
３６  デカール機構
３７  搬送ローラ
３８  搬送ローラ
４０  サーマルヘッド
４１  イクリボン
４２  イクリボンカセット
４５  画像形成プラテン
４６  転写フィルム
４９  移動ローラ
５０  転写フィルムカセット
５１  支持ピン
７０  ＣＰＵ
７３  データ入力制御部
７４  画像形成制御部
７４ｉ  サポートローラモータ
７５  カード搬送制御部
８０  サポートローラ
【図１】
2020116903.tif 000003
【図２】
2020116903.tif 000004
【図３】
2020116903.tif 000005
【図４】
2020116903.tif 000006
【図５】
2020116903.tif 000007
【図６】
2020116903.tif 000008
【図７】
2020116903.tif 000009